(57)【要約】
【課題】　ＵＳＢインタフェースを具えた車用音響装置の提供。
【解決手段】　座体を具え、そのケースが該座体の内側に少なくとも二つの端部開口を具え、そのうち一つの端部開口にＵＳＢインタフェースソケットが挿入され、該ケースの内部に基板が設けられ、該基板はＵＳＢコントロールインタフェースユニットを具え、該ＵＳＢコントロールインタフェースユニットの一端は電気的にＵＳＢインタフェースソケットに接続されてＵＳＢ装置が該ＵＳＢインタフェースソケットに挿入されてイメージファイル、映画、文字データ或いは音楽データの伝送或いは電源の取り出しの機能を実行するのに供されることを特徴とする。
【選択図】　　　　図１
0003100200.tif 000002
【実用新案登録請求の範囲】
【請求項１】
　座体を具え、そのケースが該座体の内側に少なくとも二つの端部開口を具え、そのうち一つの端部開口にＵＳＢインタフェースソケットが挿入され、該ケースの内部に基板が設けられ、該基板はＵＳＢコントロールインタフェースユニットを具え、該ＵＳＢコントロールインタフェースユニットの一端は電気的にＵＳＢインタフェースソケットに接続されてＵＳＢ装置が該ＵＳＢインタフェースソケットに挿入されてイメージファイル、映画、文字データ或いは音楽データの伝送或いは電源の取り出しの機能を実行するのに供されることを特徴とする、ＵＳＢインタフェースを具えた車用音響装置。
【請求項２】
　前記ＵＳＢ装置が携帯型ディスク装置とされたことを特徴とする、請求項１記載のＵＳＢインタフェースを具えた車用音響装置。
【請求項３】
　前記ＵＳＢ装置が携帯電話とされたことを特徴とする、請求項１記載のＵＳＢインタフェースを具えた車用音響装置。
【考案の詳細な説明】
【技術分野】
【０００１】
　本考案はＵＳＢインタフェースを具えた車用音響装置に係り、特に、ケースがその座体内側に貫通するＵＳＢインタフェースソケットを具え、該ＵＳＢインタフェースソケットに挿入されたＵＳＢ装置とのデータ伝送或いは電源取り出しに供されるＵＳＢインタフェースを具えた車用音響装置に関する。
【背景技術】
【０００２】
　ワットが蒸気機関を発明した第１次工業革命から百年あまりで自動車工業は発展し、自動車は人類の生活に不可欠の交通工具となっている。第２次工業革命の最も輝けるスターはコンピュータで、その後の人類の数十年の生活形態を改変し、これにより人類生活はデジタル時代に突入し、第３次工業革命はいわゆるネットワーク革命であり、人類はネットワーク上で大量にデータ伝送を行なうようになった。これらの発明は偉大であり、コンピュータとネットワークを簡単に結合させられるが、自動車はそれぞれ独立した工業形態を維持し、人類の居住生活中にあって相互の整合は容易でない。
【０００３】
　現実生活中、人々はその車に多くの機能を搭載することを渇望し、またコンピュータとそれを有効に接続することを希望するため、ＵＳＢインタフェースを具えた車用音響装置は双方の資源を共通インタフェースとする要求により生れた。このインタフェースが生れた後、人々はコンピュータによりネットワークからＭＰ３音楽をＵＳＢインタフェースを具えた携帯式ＭＰ３プレイヤーにダウンロードし、ＵＳＢインタフェースで自動車音響装置に送り再生させることができるようになり、ドライバーがネットワーク音楽を享受できるようになった。また、ＵＳＢインタフェースを利用して自動車内部状況を検出し、自動車状況をＵＳＢインタフェースを具えた保存メモリ内に保存し、車工場のコンピュータに送り診断を行なうことができる。また、ＵＳＢインタフェースの通信電線を利用して携帯電話に接続し、車の音響装置を車用ハンズフリー装置として利用して携帯電話を聴くこともでき、運転の安全を増すことができる。ただＵＳＢインタフェースを具えた車用音響装置を運用するだけで、多種類のＵＳＢインタフェースを具えた製品を相互に組み合わせることができる。
【０００４】
　このほか、人類の車に搭載する機能に対する要求は不変ではなく、このため多くの車用電子用品が発生している。市販されている車用電子製品の多くは車に既存のシガレットライタを電源として利用しているが、これには以下のような欠点がある。
　１．車のエンジン停止後にシガレットライタが依然として電気を有しているため、車主が離れた後に危険を形成する。
　２．車のエンジン停止後にシガレットライタが依然として電気を有しているため、シガレットライタに挿入された電子製品が車の電池の保存電力を消耗し、長時間にわたると車のバッテリーがあがってしまう。
　３．シガレットライタとダッシュボードの距離が遠過ぎ、消費者に使用上の不便をもたらし、また外観に影響を与える。このため、ＵＳＢインタフェースは５Ｖ電力を提供するが、音響装置に別に一組の安全電源供給装置が設ければ、自動車のシガレットライタより電源を取得する必要がなくなる。
【考案の開示】
【考案が解決しようとする課題】
【０００５】
　本考案は一種のＵＳＢインタフェースを具えた車用音響装置を提供し、それは、現在最も流行しているＵＳＢインタフェースの情報製品、例えば、ＰＤＡ、携帯電話、ＵＳＢインタフェースのデジタルビデオカメラ、ＵＳＢインタフェースのハードディスクを本考案と相互に接続することにより、情報製品に電源を取得でき、並びにデータ或いは音楽を車用音響装置に伝送することができるものとする。
【０００６】
　本考案の主要な目的は、ＵＳＢインタフェースにより、現在最も流行しているＵＳＢインタフェースの情報製品に車上で電力供給できるようにすることにある。
【０００７】
　本考案の別の目的は、直接ＵＳＢソケットで、ＵＳＢインタフェースの携帯式製品、例えば、携帯電話、ＰＤＡ、携帯式ＭＰ３プレイヤーより、イメージファイル、映画、文字データ或いは音楽を車用音響装置に伝送できるようにすることにある。
【課題を解決するための手段】
【０００８】
　請求項１の考案は、座体を具え、そのケースが該座体の内側に少なくとも二つの端部開口を具え、そのうち一つの端部開口にＵＳＢインタフェースソケットが挿入され、該ケースの内部に基板が設けられ、該基板はＵＳＢコントロールインタフェースユニットを具え、該ＵＳＢコントロールインタフェースユニットの一端は電気的にＵＳＢインタフェースソケットに接続されてＵＳＢ装置が該ＵＳＢインタフェースソケットに挿入されてイメージファイル、映画、文字データ或いは音楽データの伝送或いは電源の取り出しの機能を実行するのに供されることを特徴とする、ＵＳＢインタフェースを具えた車用音響装置としている。
　請求項２の考案は、前記ＵＳＢ装置が携帯型ディスク装置とされたことを特徴とする、請求項１記載のＵＳＢインタフェースを具えた車用音響装置としている。
　請求項３の考案は、前記ＵＳＢ装置が携帯電話とされたことを特徴とする、請求項１記載のＵＳＢインタフェースを具えた車用音響装置としている。
【考案の効果】
【０００９】
　本考案のＵＳＢインタフェースを具えた車用音響装置は、現在最も流行しているＵＳＢインタフェースの情報製品、例えば、ＰＤＡ、携帯電話、ＵＳＢインタフェースのデジタルビデオカメラ、ＵＳＢインタフェースのハードディスクを本考案と相互に接続することにより、情報製品に電源を取得でき、並びにデータ或いは音楽を車用音響装置に伝送することができる。
【００１０】
　本考案は、ＵＳＢインタフェースにより、現在最も流行しているＵＳＢインタフェースの情報製品に車上で電力供給できる。
【００１１】
　本考案はまた、直接ＵＳＢソケットで、ＵＳＢインタフェースの携帯式製品、例えば、携帯電話、ＰＤＡ、携帯式ＭＰ３プレイヤーより、イメージファイル、映画、文字データ或いは音楽を車用音響装置に伝送できる。
【考案を実施するための最良の形態】
【００１２】
　図１は本考案のＵＳＢインタフェースを具えた車用音響装置の実施例の斜視図である。図示されるように、本考案のＵＳＢインタフェースを具えた車用音響装置は、座体１を具え、該座体１のケースは座体１の内側に少なくとも二つの端部開口１０を具え、そのうち一つの端部開口１０はＵＳＢ装置２が挿入されてイメージファイル、映画、文字データ或いは音楽データの伝送或いは電源の取り出しの機能を実行するのに供されるＵＳＢインタフェースソケット１００が挿入される。ＵＳＢ装置２はＭＰ３プレイヤー、携帯式データ保存装置（例えば携帯型ディスク装置）、携帯電話、ＰＤＡとされうる。
【００１３】
　座体１の正面の中央上部には液晶ディスプレイ１４が設けられ、それは必要な情報を表示し、並びに使用者に明瞭に現在の運転状況を知らせるのに供され、座体１の正面の右側には複数の押しボタン１６が設けられ、使用者が命令を入力して本考案の実施例の運転モードを改変するのに供される。
【００１４】
　図２は本考案の実施例の内部回路ブロック図である。本考案のＵＳＢインタフェースを具えた車用音響装置は、座体１のケース内部に基板３（図示せず）が接合され、この基板３は、ＵＳＢコントロールインタフェースユニット３１、ＣＤ／ＶＣＤ入力処理ユニット３３、ＣＤ／ＶＣＤコントロールユニット３４、コントロールパネルユニット３５、オーディオ出力ユニット３６、表示ユニット３７、マイクロプロセッサユニット３８を具えている。
【００１５】
　該ＵＳＢコントロールインタフェースユニット３１は、その一端が電気的にＵＳＢインタフェースソケット３２に接続され、該ＵＳＢインタフェースソケット３２にＵＳＢ装置２が挿入されてイメージファイル、映画、文字データ或いは音楽データの伝送或いは電源の取り出しの機能を実行するのに供される。本実施例では、Ａｌｉ社の５２７１チップ、コードＮｏ．Ｍ５２７１，Ａ０，０２１４　ＴＳ０５，ＸＫ６０３５７７０ＢＴＡが使用される。
【００１６】
　該ＣＤ／ＶＣＤ入力処理ユニット３３は、ＣＤ／ＶＣＤの読み書きヘッドとされ、ＣＤ／ＶＣＤメディア上のイメージファイル、映画、文字データ或いは音楽を含むデータの読み取りを行なえる。
【００１７】
　該ＣＤ／ＶＣＤコントロールユニット３４は、ＤＶＤプレイヤーチップセットとされるか、或いはＣＤ−Ｒ／ＲＷチップセットとされ、それはＣＤ／ＶＣＤ入力処理ユニット３３と電気的に接続され、ＣＤ／ＶＣＤ入力処理ユニットの読み取りを制御する。本実施例ではＡｌｉ社の５７０５チップ、コードＮｏ．Ｍ５７０５Ａ１，０１３０　Ｔｈ０５，ＸＨＡＱ９６０００Ｎ０Ｅが使用される。
【００１８】
　該コントロールパネルユニット３５は複数の押しボタンとされ、使用者が命令を入力して運転モードを改変するのに供される。
【００１９】
　該オーディオ出力ユニット３６はスピーカとされて音声を出力でき、音楽を放送したり或いは使用者にアラーム通知する作用を有する。
【００２０】
　表示ユニット３７は、液晶ディスプレイとされ、必要な情報を表示し並びに使用者に現在の運転状況を知らせる。
【００２１】
　マイクロプロセッサユニット３８は、３２ビット構造のマイクロプロセッサとされて、ＵＳＢコントロールインタフェースユニット３１、ＣＤ／ＶＣＤコントロールユニット３４、コントロールパネルユニット３５、オーディオ出力ユニット３６及び表示ユニット３７と電気的に接続され、その相互間の運転機能を制御して完成させる。本実施例では、Ａｒｍ社のＴｈｕｍｂ構造を延伸したプロセッサチップ、型番ａｒｍ９２０Ｔが採用される。
【００２２】
　以上の実施例は本考案の実施範囲を限定するものではなく、本考案に基づきなしうる細部の修飾或いは改変は、いずれも本考案の請求範囲に属するものとする。
【図面の簡単な説明】
【００２３】
【図１】本考案のＵＳＢインタフェースを具えた車用音響装置の実施例の斜視図である。
【図２】本考案の実施例の内部回路ブロック図である。
【符号の説明】
【００２４】
１　座体
２　ＵＳＢ装置
３　基板
１０　端部開口
１４　液晶ディスプレイ
１６　押しボタン
１００　ソケット
３１　ＵＳＢコントロールインタフェースユニット
３２　ＵＳＢインタフェースソケット
３３　ＣＤ／ＶＣＤ入力処理ユニット
３４　ＣＤ／ＶＣＤコントロールユニット
３５　コントロールパネルユニット
３６　オーディオ出力ユニット
３７　表示ユニット
３８　マイクロプロセッサユニット
【図１】
0003100200.tif 000003
【図２】
0003100200.tif 000004